(57)【要約】【課題】弾性部材と、停止ピンとを省略して、アセンブリの構造を相当程度簡略化し、フィンガ・ピースの信頼性を高めた脱進機を提供すること。【解決手段】この脱進機は、インパルス・アンクル石５を担持し、第１フィンガ・ピース１４が上に載る大きなローラ４と、ノッチ２２が作られる小さなローラ２３とを含む。ブロック部材は、一方でガンギ車２をロックする手段８０と、他方で第１フィンガ・ピース１４と協働するように配置された第２フィンガ・ピース１１と担持し、前記ブロック部材は、突起部２１で終端する従動子２０も含み、前記突起部は小さいローラ、特にそこに作られたノッチ２２に対して作用する。第１フィンガ・ピース１４と第２フィンガ・ピース１１は、それぞれテーブル・ローラとブロック部材に堅固に固定される。【選択図】図１
2006284580.tif 000002
【特許請求の範囲】
【請求項１】
歯（３）が設けられたガンギ車（２）、インパルス・アンクル石（５）が取り付けられ、第１作動フィンガ・ピース（１４）が上に載る大きなローラ（４）と、円形周囲部（２４）にノッチ（２２）が作られる小さなローラ（２３）とを含むローラ（１）がテン真（１６）上に固定されるテンプ輪、およびピン（８）に取り付けられたレバーの形態のブロック部材（６）を含み、前記ブロック部材が、ガンギ車（２）をロックする手段（８０）と、第２作動フィンガ・ピース（１１）と、小さなローラ（２３）のノッチの立ち上がりエッジ（２５）と協働するように構成された突起部（２１）で終端する従動子（２０）とを担持する、時計用戻止脱進機であって、前記第１作動フィンガ・ピースと第２作動フィンガ・ピースが、それぞれ前記大きなローラと前記ブロック部材に堅固に固定され、相互に協働するように配置され、それによって前記ローラ（１）が第１方向（ａ）に回転する時、前記第１フィンガ・ピース（１４）が前記第２フィンガ・ピース（１１）を駆動して、前記ガンギ車（２）から前記ロック手段（８０）を解放し、次いで前記従動子（２０）の前記突起部（２１）が、前記ノッチ（２２）の前記立ち上がりエッジ（２５）によって駆動されて、ロック手段が前記ガンギ車で再係合されるようになり、また前記ローラ（１）が第１方向の反対の第２方向（ｂ）に回転する時、前記第１フィンガ・ピース（１４）が前記第２フィンガ・ピース（１１）を駆動して、前記ロック手段（８０）を前記ガンギ車（２）で係合された状態に保つようになることを特徴とする脱進機。
【請求項２】
前記ロック手段（８０）が、相互の横に配置される第１アンクル石（５０）と第２アンクル石（４１）を有し、それらがそれぞれ、相互に対して傾斜してロック線（３６）を形成する第１ロック面（３４）と第２ロック面（３５）を有し、前記ローラ（１）が第１方向（ａ）に回転して、前記従動子（２０）の前記突起部（２１）が、前記ノッチ（２２）の前記立ち上がりエッジ（２５）によって駆動される時、前記第１平面（３４）が、前記ガンギ車（２）の歯（６２）を遮断し、その後、前記歯（６２）が、前記ロック線（３６）上に載り、前記ローラ（１）が第２方向（ｂ）に回転して、前記第１フィンガ・ピース（１４）が前記第２フィンガ・ピース（１１）を駆動する時、前記歯は最後に前記第２ロック面（３５）を登り、前記第２フィンガ・ピースが前記第１フィンガ・ピースから離れる時、前記歯（６２）が前記ロック線（３６）に戻ることを特徴とする請求項１に記載の戻止脱進機。
【請求項３】
前記ロック手段（８０）が、突起部（４０）が設けられた、第１ロック面（３７）を有する単一のロック・アンクル石（５２）を含むことを特徴とし、かつ、前記ガンギ車（２）の各歯（３、６０、６２）が第２ロック面（３８）を有し、これがロック線（３９）を有し、前記ローラ（１）が第１方向（ａ）に回転して、前記従動子（２０）の前記突起部（２１）が、前記ノッチ（２２）の前記立ち上がりエッジ（２５）によって駆動される時、前記第１平面（３７）が前記ガンギ車（２）の歯（６２）を遮断し、その後、前記アンクル石（５２）の突起部（４０）が前記ロック線（３９）上に載り、前記ローラ（１）が第２方向（ｂ）に回転して、前記第１フィンガ・ピース（１４）が前記第２フィンガ・ピース（１１）を駆動する時、前記突起部（４０）が最後に前記第２ロック面（３８）を登り、前記第２フィンガ・ピースが前記第１フィンガ・ピースから離れる時、前記突起部（４０）が前記ロック線（３９）に戻ることを特徴とする請求項１に記載の戻止脱進機。
【請求項４】
前記ロック手段（８０）が、相互上に配置される第１ロック・アンクル石（５３）と第２ロック・アンクル石（５４）を有し、それらがそれぞれ、相互に対して傾斜してロック線（４４）を形成する第１ロック面（４２）と第２ロック面（４３）を有し、前記ローラ（１）が第１方向（ａ）に回転して、前記従動子（２０）の前記突起部（２１）が、前記ノッチ（２２）の前記立ち上がりエッジ（２５）によって駆動される時、前記第１平面（４２）が、前記ガンギ車（２）の歯（６２）を遮断し、その後、前記歯（６２）が、前記ロック線（４４）上に載り、前記ローラ（１）が第２方向（ｂ）に回転して、前記第１フィンガ・ピース（１４）が前記第２フィンガ・ピース（１１）を駆動する時、前記歯（６２）が最後に前記第２ロック面（４３）を登り、前記第２フィンガ・ピースが前記第１フィンガ・ピースから離れる時、前記歯（６２）が前記ロック線（４４）に戻ることを特徴とする請求項１に記載の戻止脱進機。
【請求項５】
前記ロック手段（８０）が単一のロック・アンクル石（７）を含み、これが前記アンクル石の正面に位置する第１ロック面（３１）と、前記アンクル石の後部に位置する第２ロック面（３２）とを有し、前記第２平面が、前記第１平面に対して傾斜して、ロック線（３３）を形成し、前記ローラ（１）が第１方向（ａ）に回転して、前記従動子（２０）の前記突起部（２１）が、前記ノッチ（２２）の前記立ち上がりエッジ（２５）によって駆動される時、前記第１平面（３１）が、前記ガンギ車（２）の歯（６２）を遮断し、その後、前記ガンギ車の前記歯（６２）が、前記ロック線（３３）上に載り、前記ローラ（１）が第２方向（ｂ）に回転して、前記第１フィンガ・ピース（１４）が前記第２フィンガ・ピース（１１）を駆動する時、前記歯が最後に前記第２ロック面（３２）を登り、前記第２フィンガ・ピースが前記第１フィンガ・ピースから離れる時、前記歯が前記ロック線（３３）に戻ることを特徴とする請求項１に記載の戻止脱進機。
【請求項６】
前記ロック手段（８０）が、第１ロック・アンクル石（５５）と第２ロック・アンクル石（５６）を有し、それらがそれぞれ前記ガンギ車（２）の第１歯（６２）と第２歯（６３）と協働し、前記第１アンクル石と第２アンクル石がそれぞれ第１ロック面（７０）と第２ロック面（７１）を有し、前記ローラ（１）が第１方向（ａ）に回転して、前記従動子（２０）の前記突起部（２１）が、前記ノッチ（２２）の前記立ち上がりエッジ（２５）によって駆動される時、前記第１ロック面（７０）が前記ガンギ車（２）の前記第１歯（６２）を遮断し、前記ローラ（１）が第２方向（ｂ）に回転して、前記第１フィンガ・ピース（１４）が前記第２フィンガ・ピース（１１）を駆動する時、前記ガンギ車（２）の前記第２歯（６３）が次いで前記第２ロック面（７１）を登り、前記第１ロック面と前記第２ロック面が相互に対して傾斜し、それによって、前記第１歯（６２）が前記第１アンクル石（５５）によって遮断された後、また前記第２フィンガ・ピース（１１）が第１フィンガ・ピース（１４）によって駆動された後、前記第２歯（６３）が、前記第２アンクル石（５６）の前記第２ロック面（７１）に位置する前記ロック線（７２）上に載るようになることを特徴とする請求項１に記載の戻止脱進機。
【発明の詳細な説明】
【技術分野】
【０００１】
本発明は、歯が設けられたガンギ車、インパルス・アンクル石が取り付けられ、第１作動フィンガ・ピースが上に載る大きなローラと、円形周囲部にノッチが作られる小さなローラとを含むローラがテン真に固定されるテンプ輪、およびピンに取り付けられたレバーの形態のブロック部材を含み、前記ブロック部材が、ガンギ車をロックする手段と、第２作動フィンガ・ピースと、小さなローラのノッチの立ち上がりエッジと協働するように構成された突起部で終端する従動子とを担持する、時計用戻止脱進機に関する。
【背景技術】
【０００２】
上記の記述に応える戻止脱進機が、２００３年１２月４日に出願された欧州特許出願第０３０２７９２９．３号で既に提案されている。しかしその特許出願では、弾性部材が、作動フィンガ・ピース、この場合テンプ輪のローラの一部を形成する第１フィンガ・ピースに作用し、それによってフィンガ・ピースは、ローラが第１方向に回転する時、ブロック部材を開放するように作動し、ローラが第１方向の反対の第２方向に回転する時、前記ブロック部材をガンギ車に係合された状態に保つ。この第２回転方向では、ローラに弾性的に取り付けられたフィンガ・ピースは、ブロック部材に固定されたフィンガ・ピースに面すると、引っ込む。上記の特許出願の脱進機は、上述の弾性部材を使用することに加えて、ブロック部材の遊びを制限するため、またローラがその振幅の補足円弧を実行する間、ブロック部材をそこで特定の形状に保つために、停止ピンの使用を必要とすることにも留意されたい。
【特許文献１】欧州特許出願第０３０２７９２９．３号
【特許文献２】欧州特許出願第０３０２８８７７．３号
【発明の開示】
【発明が解決しようとする課題】
【０００３】
一方で弾性部材と、上記段落で述べた脱進機に取り付けられる停止ピンとを省略することができれば、アセンブリの構造が相当程度簡略化されることが理解されようが、それが本発明の目的である。
【０００４】
弾性部材が無く、停止ピンを備えない戻止脱進機は、２００３年１月１６日に出願された欧州特許出願第０３０２８８７７．３号で提案された。この特許出願では、脱進機は、第１フィンガ・ピースを担持する大きなローラと、第２フィンガ・ピースおよびロック・アンクル石を担持するブロック部材とを含む。第１、第２フィンガ・ピースの形状は、大きなローラが第１方向に回転する時、第１フィンガ・ピースが第２フィンガ・ピースを駆動し、第２フィンガ・ピースが前記第１フィンガ・ピースの第１側面の周りを通って、ロック・アンクル石をガンギ車から開放するように形作られる。第２フィンガ・ピースが、小さなローラ内に作られたノッチの立ち上がりエッジを登る時、再係合が起こる。大きなローラが、第１方向の反対の第２方向に回転する時、第１フィンガ・ピースが、第２フィンガ・ピースを駆動し、これが、前記第１フィンガ・ピースの第１側面の反対の第２側面の周りを通って、ガンギ車のロック・アンクル石を保持する。
【０００５】
第１フィンガ・ピースと第２フィンガ・ピースが接触する時に生じる衝撃は、ブロック部材の回転軸に対して垂直力を及ぼすことがここで理解されよう。さらに問題のフィンガ・ピースは、機構が不正確に調整された場合、衝突し、機構内で壊れる可能性のある縁部から作られている。信頼性を高めることが本発明の他の目的である。
【課題を解決するための手段】
【０００６】
以上に記載した基準および目的に応えるため、加えてこの記述の第１段落に応えるため、本発明の特徴は、第１作動フィンガ・ピースと第２作動フィンガ・ピースが、大きなローラとブロック部材にそれぞれ堅固に固定され、それらの配置が、ローラが第１方向に回転する時、第１フィンガ・ピースが第２フィンガ・ピースを駆動して、ガンギ車からロック手段を解放し、次いで従動子の突起部がノッチの立ち上がりエッジによって駆動されて、ロック手段をガンギ車で再係合させるように、また、ローラが第１方向の反対の第２方向に回転する時、第１フィンガ・ピースが第２フィンガ・ピースを駆動して、ロック手段がガンギ車で係合されるのを維持するように、相互に協働するようになされることである。
【発明を実施するための最良の形態】
【０００７】
本発明を、例としてここに掲げるいくつかの実施形態によって次に詳しく説明するが、それらの実施形態は、添付図面によって示す。
【０００８】
添付図面は、本発明の課題を形成する戻止脱進機を示す。この戻止脱進機は、歯３が設けられたガンギ車２を含む。これはここでは示さないが、ガンギ車２は、香箱から駆動力を受け取る時計の歯車列によって駆動される。ローラ１は、図面で示さないテンプ輪のテン真１６に取り付けられる。これらのローラ１は、インパルス・アンクル石５が取り付けられた大きなローラ４と、立ち上がりエッジ２５を有するノッチ２２が作られる円形周囲部２４が設けられた小さなローラ２３とを含む。第１作動フィンガ・ピース１４が大きなローラ４上に載る。図面は、このフィンガ・ピース１４が、ローラ４とローラ２３の間に挟まれたディスク７５から出ているのを示す。この脱進機は、ピン８に取り付けられたレバーの形態のブロック部材６をさらに含む。ブロック部材６は、ピン８によって固定して連結された第１部品と第２部品を含む。図面が示すのは、第１部品が、ガンギ車２の歯３と協働するロック手段８０を含むこと、ならびに第２部品が、第１フィンガ・ピース１４と、小さなローラ２３に作られたノッチ２２の立ち上がりエッジ２５と協働するように配置された突出分２１で終端する従動子２０と協働するように配置された第２作動フィンガ・ピース１１とを含むことである。
【０００９】
以上に掲げた記述から、戻止脱進機を作るのに必要な全ての構成要素が存在することが分かろう。この脱進機では、ローラが一方向に回転する時、ガンギ車は解放され、ローラが他方向に回転する時ロックされたままとなる。したがって、ガンギ車が１角度ステップ分回転する振幅毎に１回しか、インパルスはテンプ輪に与えられないが、レバー脱進機では、同じガンギ車が、振動毎に半ステップ分進む。これが戻止脱進機の利点の１つであるが、それは、ガンギ車の慣性によって空費されるエネルギーが、振動毎に１回ではなく、振幅毎に１回しか起こらないからである。
【００１０】
上記の欧州特許出願第０３０２７９２９．３号に対して、本発明が注目に値するのは、第１作動フィンガ・ピース１４と第２作動フィンガ・ピース１１が、それぞれ大きなローラ４とブロック部材６に堅固に固定されるということであるが、最初に引用した出願では、弾性部材が作動フィンガ・ピースの１つに作用し、それによって、ローラが第１方向に回転する時そのフィンガ・ピースがブロック部材を駆動するのを、また前記ローラが第２方向に回転する時フィンガ・ピースが引き込まれるのを可能にする。したがって、本発明は、この弾性部材を関係のないものにするとともに、停止ピンの使用も余分のものとすることができる。
【００１１】
２番目の欧州特許出願第０３０２８８７７．３号に対して、本発明が注目に値するのは、第１作動フィンガ・ピース１４と第２作動フィンガ・ピース１１が相互に協働するように配置され、それによって前記ローラ１が第１方向に回転する時、第１フィンガ・ピース１４が前記第２フィンガ・ピース１１を駆動して、ガンギ車２のロック手段８０をロック解除し、次いで従動子２０の突起部２１が、ノッチ２２の立ち上がりエッジ２５によって駆動されて、ロック手段がガンギ車で再係合されるようになり、またローラ１が第１方向の反対の第２方向に回転する時、第１フィンガ・ピース１４が第２フィンガ・ピース１１を駆動して、ロック手段８０をガンギ車２で係合された状態に保つようになることである。２番目に述べた特許出願では、ロック手段をガンギ車で再係合させるのに関与するのは第２作動フィンガ・ピース１１であること、また突起部で終端する従動子が使用されないことが注目されよう。その結果、２つの駆動フィンガ・ピースの相対的な位置は、本発明で使用する位置とは極めて異なる。したがって、本発明では、２つのフィンガ・ピースの接触は、ローラの回転方向に関わらず、ブロック部材のピンに自然の回転力を生成し、その接触は、機構を破損する危険を生まない。
【００１２】
実施されるロック手段８０において本質的に異なる本発明のいくつかの実施形態を次に述べる。
【００１３】
第一実施形態を、図１と、図６から１７とで示す。ロック手段８０は、相互の横に配置された第１アンクル石５０と、第２アンクル石５１とを有する。これらのアンクル石はそれぞれ、第１ロック面３４と第２ロック面３５を有する。これらのロック面は、相互に対して傾斜されてロック線３６を形成する。以下で分かるように、この脱進機の動作段階の詳しい分析に従って、従動子２０がノッチ２２の立ち上がりエッジ２５によって駆動され、ローラ１が第１方向に回転する時、第１平面３４は、ガンギ車２の歯６２を遮断する。この後、歯６２がロック線３５上に載る。次いで、第１フィンガ・ピース１４が第２フィンガ・ピース１１を駆動して、第１ローラ１が第２方向に回転する時、同じ歯６２が第２平面３５を登る。最後に、第２フィンガ・ピースが第１フィンガ・ピースから離れる時、歯６２はロック線３５に戻る。
【００１４】
テンプ輪の完全な１振幅を図６から１７に示す。動作の様々な段階を次に分析する。
【００１５】
図６では、ローラ４、２３が矢印ａの方向に回転する。大きなローラ４の上に載る第１フィンガ・ピース１４が、ブロック部材６の第２フィンガ・ピース１１と接触する。ロック・アンクル石５０とロック・アンクル石５１は、ロックされたガンギ車２の歯６０で完全に係合される。これが、ローラとブロック部材の接触の始まりであるので、これはロック解除の始まりである。
【００１６】
ロック解除の終了を図７に示す。ローラ４とローラ２３が矢印ａの方向に未だ回転している時、フィンガ・ピース１４は、フィンガ・ピース１１を駆動するとともに、ブロック部材６を矢印ｆの方向に傾け、それがロック・アンクル石５０と５１を歯６０からロック解除し、同時にガンギ車２に対して矢印ｇの方向に僅かに後ろ向きの動きを与える。従動子２０の突起部２１が、小さなローラ２３のノッチに進入し始める。
【００１７】
インパルスの開始を図８に示す。ロック・アンクル石５０、５１から解放されたガンギ車２は、香箱が歯車列に伝える駆動力に動かされて、矢印ｅの方向に回転し始める。ガンギ車２の歯６１は、大きなローラ４に取り付けられたインパルス・アンクル石５と接触、ローラ１を矢印ａの方向に送り戻す。
【００１８】
図９は、進行中のインパルスを示す。ローラ１とガンギ車２は、引き続きそれぞれ矢印ａと矢印ｅの方向に回転する。ローラとブロック部材の接触の終わりに到達するが否や、フィンガ・ピース１４は、歯１１の先端の上を通過しようとする。矢印ｆの方向に傾いていたブロック部材６は、他の方向（矢印ｈ）に傾こうとしている。
【００１９】
図１０では、ガンギ車２は引き続き矢印ｅの方向に回転し、従動子２０の突起部２１が小さなローラ２３の立ち上がりエッジ２５と接触する瞬間まで、引き続きローラ１を、歯６１のインパルス・アンクル石５への作用によって駆動する。それから以降ブロック部材６は、矢印ｈの方向に駆動される。
【００２０】
図１１は、アンクル石５に対する歯６１のインパルスの終了を示す。この状況で、ローラ１の矢印ａの方向への回転に続いて、突起部２１が、小さなローラ２３に作られたノッチ２２の立ち上がりエッジ２５の上を通過し、次いで小さなローラの円形周囲部２４に当接する。ブロック部材６は、矢印ｈの方向に引き続き駆動され、その回帰運行の終点に到達する。矢印ｅの方向に駆動される歯６２が、ロック手段８０によって遮断されようとしているのが分かるであろう。
【００２１】
図１２はロック位置を示す。歯６２は、第１ロック・アンクル石５０の第１ロック面３４に対して当接する。
【００２２】
図１３は、ここでは第１ロック・アンクル石５０と第２ロック・アンクル石５１から形成されるロック手段に対する、歯６２の完全なロックを示す。ガンギ車２の運動エネルギーによって突き出された歯６２の先端が、ロック線３６に収容されるが、それは第１ロック・アンクル石５０と第２ロック・アンクル石５１にそれぞれ属する第１ロック面３４と第２ロック面３５の傾斜によって形成される。これは、時計製造者によく知られている引寄効果であるが、この効果は、欧州特許第０３０２７９２９．３号で開示される脱進機の適切な作動に必要であった停止ピンを、省略することを可能にする。歯６２はこのようにロック線３６に収容され、第２ロック面３５は歯の前に立ち、それがその経路を進むのを防止する。図９も、従動子２０の突起部２１が、小さなローラ２３の円形周囲部２４から解放されて、テンプ輪が完全に自由にその補足的円弧を続け、また矢印ａによって示す方向に沿った第１振動を終わらすことができるようにすることを示す。この瞬間から以降、この脱進機が、時計に影響を及ぼす可能性のある衝撃に対して抵抗力があることにも留意されたい。実際、衝撃が、突起部が小さなローラ２３の周囲部２４に対して当接する可能性を引き起こしても、アンクル石５０とアンクル石５１がロック解除されないが、それは歯６２が、上述の引寄のために直ちにロック線３６に戻るからである。一旦第１振動が完了すると、テンプ輪はその方向を逆転し、矢印ｂの方向に回転する。
【００２３】
図１４は、逆の補足的円弧の終点での、即ち第２振動の終点に向かった脱進機を示す。ローラ１は矢印ｂの方向に回転する。図は、大きなローラ４の上に載る第２フィンガ・ピース１４が、ブロック部材６に取り付けられた第１フィンガ・ピース１１と接触する瞬間の状況を示す。後者は依然不動であり、ガンギ車２の歯６２はアンクル石５０とアンクル石５１のロック線３６に未だ収容される。
【００２４】
図１５では、ローラ１はそれらの運行を矢印ｂの方向に継続し、第２フィンガ・ピース１４は、第１フィンガ・ピース１１の終点で作られる斜面９０の上をスライドし、それがブロック部材６の矢印ｈの方向への回転を引き起こす。その結果、ガンギ車２の歯６２が、第２ロック・アンクル石５１の第２ロック面３５を登り、それがガンギ車２を、ここで矢印ｇによって示す僅かに後ろ向きの動きに駆動する。
【００２５】
図１６では、第１フィンガ・ピース１１と第２フィンガ・ピース１４が分離しており、ローラ１は依然矢印ｂの方向に回転している。これからは、矢印ｅの方向に回転しているガンギ車２の運動エネルギーによって突き出された歯６２の先端が、アンクル石５１の第２ロック面３５を再度降りて、図１７に示すようにロック線３６に収容される。これは、図１３を参照して述べたのと同じ引寄効果であるが、アンクル石５１の面３５に作用する。この効果は、「反引寄」と呼ぶことができる。
【００２６】
図１７に示す状況からは、テンプ輪、それとともにローラ１が、矢印ｂの方向にそれらの補足的円弧を終了し、次いで方向を変えて（矢印ａ）、新たな振幅を再開し、第２振動は完了する。
【００２７】
以上に説明した詳細全てがはっきりと示しているのは、フィンガ・ピース１１とフィンガ・ピース１４の接触は、ブロック部材６の回転軸の周りでトルクを起こし、それによってブロック部材の自然の回転運動を作り出すということである。上述の欧州特許出願第０３０２８８７７．３号ではそうではなく、この場合の接触は、ブロック部材の軸に対して垂直の力を作り出す。
【００２８】
本発明の第２実施形態を図２および１８、図１８ａから２１で示す。ここでロック手段８０は、単一のロック・アンクル石５２しか有さず、それには突起部４０が設けられ、アンクル石は第１ロック面３７を有する。ガンギ車２の各歯３、６０、６２は、第２ロック面３８を含み、これがロック線３９を有する。アンクル石５２の第１ロック平明３７は、従動子２０の突起部２１がノッチ２２の立ち上がりエッジ２５によって駆動されると、またローラ１が第１方向ａに回転している時に、ガンギ車２の歯６２を遮断する。この後、アンクル石５２の突起部がロック線３９でロックされる。フィンガ・ピース１４が第２フィンガ・ピース１１を駆動する時、またローラ１が第２方向ｂに回転する時、次いで同じ突起部４０が第２ロック面３８を登る。最後に、第２フィンガ・ピースが第１フィンガ・ピースから離れると、アンクル石５２の突起部４０はロック線３９に戻る。
【００２９】
本発明の第２の実施形態の様々な動作段階を、図１８、図１８ａから２１を参照して、またテンプ輪振幅の第２振動に限定して次に概説する。
【００３０】
図１８および１８ａは、補足的逆円弧の終点、即ち第２振動の終点に向かう脱進機を示す。この図が示すのは、大きなローラ４の上に載る第２フィンガ・ピース１４が、ブロック部材６に取り付けられた第１フィンガ・ピース１１と接触する時の状況である。後者は未だ不動であり、アンクル石５２の突起部４０は、ロック面３８のロック線３９上にある。
【００３１】
図１９では、ローラ１は、矢印ｂの方向にその運行を継続しており、第２フィンガ・ピース１４は、第１フィンガ・ピース１１の端部に作られた斜面９０の上をスライドしており、それによってブロック部材６を矢印ｈの方向に回転させる。その結果、アンクル石５２の突起部４０が、第２ロック面３８を登り、これがガンギ車２を、矢印ｇによってここに示す僅かに後ろ向きの動きに駆動する。
【００３２】
図２０では、第１フィンガ・ピース１１と第２フィンガ・ピース１４が分離しており、ローラ１が依然矢印ｂの方向に回転する。ここから以降、矢印ｅの方向に回転するガンギ車２の運動エネルギーによって突き出されたアンクル石５２の突起部４０が、図２１に示すように、第２ロック面３８を降りて、ロック線３９に収容される。これは図１７に関連して述べた反引寄効果である。
【００３３】
図２１に示す状況から、テンプ輪、それとともにローラ１は、矢印ｂの方向のそれらの補足的円弧を完了し、方向を変更して（矢印ａ）、新たな振幅を開始し、第２振動は完了している。
【００３４】
本発明のこの第２実施形態が有する利点は、単純な形状を有する、製造し易い単一のアンクル石５２にそれが依存するということである。ロック面３８から影響を受けるガンギ車２も、製造上の困難をなんら呈さない。
【００３５】
本発明の第３実施形態を、図３を参照して次に説明する。ロック手段８０は、ここで相互上に配置された第１アンクル石５３と第２アンクル石５４を備え、それぞれ第１ロック面４２と第２ロック面４３を有する。これらの平面は、相互に対して傾斜されて、ロック線４４を形成する。従動子２０の突起部２１がノッチ２２の立ち上がりエッジ２５によって駆動される時、またローラ１が第１方向ａに回転する時に、第１ロック線４２が、ガンギ車２の歯６２を遮断する。次いで歯６２が引寄効果によってロック線３９に載る。この後、第１フィンガ・ピース１４が第２フィンガ・ピース１１を駆動する時、またローラ１が第１方向ｂに回転する時に、歯６２が第２ロック面４３を登る。最後に、第２フィンガ・ピースが反引寄効果によって第１フィンガ・ピースを離れる時、歯６２がロック線４４に戻る。
【００３６】
本発明の第４実施形態は図４に関する。ロック手段８０は単一のロック・アンクル石７を備える。このロック・アンクル石は、アンクル石の正面に位置する第１ロック面３１と、前記アンクル石の後部に位置する第２ロック面３２とを有する。第１ロック面と第２ロック面は、相互に対して傾斜して、ロック線３３を形成する。従動子２０の突起部２１がノッチ２２の立ち上がりエッジ２５によって駆動される時、またローラ１が第１方向ａに回転する時、第１ロック線３１は、ガンギ車２の歯６２を遮断する。歯６２は次いでロック面３３に載る。この後、第１フィンガ・ピース１４が第２フィンガ・ピース１１を駆動する時、またローラ１が第２方向ｂに回転する時、歯６２は第２ロック面３２を登る。最後に、第２フィンガ・ピースが第１フィンガ・ピースを離れる時、歯６２は、ロック線３に戻る。
【００３７】
上述のロック手段８０は、単一部品で作られるアンクル石７を除いて、図１で説明した手段と同様である。しかし、このような単一部品のアンクル石を製造することは容易ではないことに留意されたく、それをこの記述で述べるのは、単にロック手段の完全なリストを提示するためである。
【００３８】
本発明の第５実施形態は、図５に関係する。ロック手段８０は、第１ロック・アンクル石５５と第２ロック・アンクル石５６を含む。これらの後者はそれぞれ、ガンギ車２の第１歯６２と第２歯６３と協働する。これらの第１アンクル石５５と第２アンクル石５６はそれぞれ、第１ロック面７０と第２ロック面７１を有する。従動子２０の突起部２１がノッチ２２の立ち上がりエッジ２５によって駆動される時、またローラ１が第１方向ａに回転する時、第１ロック面７０は、ガンギ車２の歯６２を遮断する。第１フィンガ・ピース１４が第２フィンガ・ピース１１を駆動する時、またローラ１が第２方向ｂに回転する時、ガンギ車２の第２歯６３は、アンクル石５６の第２ロック面７０を登る。前記第１ロック面７０と前記第２ロック面７１は相互に対して傾斜し、それによって、第１歯６２が第１アンクル石５５によって遮断された後、また第２フィンガ・ピース１１が第１フィンガ・ピース１４によって駆動された後で、第２歯６３が、第２アンクル石５６７の第２ロック面７１に位置するロック線７２に載る。
【００３９】
以上が、本発明による戻止脱進機の適切な作動を保証することが可能なロック手段のリストである。この脱進機はバネには使用しないことは既に承知されているが、これは、欧州特許出願第０３０２８８７７．３号で開示された脱進機と似ていながら、上記記述で説明した著しい改良を提案する。しかし当然ながら、上記特許出願で開示された脱進機を保留する場合も、前記脱進機には本発明で述べた様々なロック手段を取り付けることができる。
【図面の簡単な説明】
【００４０】
【図１】本発明による脱進機の一実施形態の斜視図である。
【図２】本発明による脱進機の第２実施形態の斜視図である。
【図３】本発明による脱進機の第３実施形態の平面図である。
【図４】本発明による脱進機の第４実施形態の平面図である。
【図５】本発明による脱進機の第５実施形態の平面図である。
【図６−１７】本発明の第一実施形態による脱進機の動作段階を説明する平面図であり、これらの段階は、テンプ輪の１振幅の第１振動と第２振動を網羅する。
【図１８−２１】本発明の第２実施形態による脱進機の動作段階を説明する平面図であり、これらの段階は、テンプ輪の１振幅の第２振動を網羅する。
【図１８ａ】図１８の区域XVIIの拡大図である。
【符号の説明】
【００４１】
１、４、２３  ローラ、２  ガンギ車、３、６０、６２、６３  歯、５、７、５０、５１、５２、５３、５４、５５、５６  アンクル石、６  ブロック部材、８  ピン、１１、１４  フィンガ・ピース、１６  テン真、２０  従動子、２１、４０  突起部、２２  ノッチ、２４  円形周囲部、２５  ノッチの立ち上がりエッジ、３１、３２、３４、３５、３７、３８、４２、４３、７０、７１  ロック面、３３、３６、３９、４４、７２  ロック線、７５  ディスク、８０  ロック手段
【図１】
2006284580.tif 000003
【図２】
2006284580.tif 000004
【図３】
2006284580.tif 000005
【図４】
2006284580.tif 000006
【図５】
2006284580.tif 000007
【図６】
2006284580.tif 000008
【図７】
2006284580.tif 000009
【図８】
2006284580.tif 000010
【図９】
2006284580.tif 000011
【図１０】
2006284580.tif 000012
【図１１】
2006284580.tif 000013
【図１２】
2006284580.tif 000014
【図１３】
2006284580.tif 000015
【図１４】
2006284580.tif 000016
【図１５】
2006284580.tif 000017
【図１６】
2006284580.tif 000018
【図１７】
2006284580.tif 000019
【図１８】
2006284580.tif 000020
【図１８ａ】
2006284580.tif 000021
【図１９】
2006284580.tif 000022
【図２０】
2006284580.tif 000023
【図２１】
2006284580.tif 000024